(57)【要約】      （修正有）【課題】ドラムの演奏を行う際に、簡便に騒音対策を行いつつ、演奏方法に制約が生じることがないようした発音制御装置を提供する。【解決手段】被加振部であるパッド１０が固定されたパッド土台１１３とリム部１１１とガイド部１１０とを一体化した筐体１１がリング部１６によりフープの取り外されたアコースティックドラムに固定される。パッド土台１１３の下面のセンサ１３は、パッド１０およびリム部１１１の振動を検出し、このセンサ１３の出力信号は信号処理部１７およびゲイン調整部１８を介し、駆動信号としてアクチュエータ１５に供給される。アクチュエータ１５は、駆動信号に応じてアコースティックドラムのドラムヘッドを加振する。【選択図】図１
2017068214.tif 000002
【特許請求の範囲】
【請求項１】
被加振部を有し、前記被加振部に発生する振動に応じて発音の制御を行う発音制御装置であって、
当該発音制御装置をドラムヘッドと共にシェルに固定する固定部と、
前記被加振部に発生する振動に応じて前記ドラムヘッドを加振するアクチュエータと、
を有することを特徴とする発音制御装置。
【請求項２】
前記固定部は、
前記ドラムヘッド外縁を案内する円環状のガイド部と、
当該発音制御装置の外周に設けられ、前記シェルに設けられたラグに対応する位置に孔が形成されているリング部と、
を有することを特徴とする請求項１に記載の発音制御装置。
【請求項３】
各々が前記被加振部であるパッドおよび前記パッドの外周に設けられたリム部と、
前記パッドに生じた振動を検出し、当該検出した振動に応じた信号を出力する第１のセンサと、
前記リム部に生じた振動を検出し、当該検出した振動に応じた信号を出力する第２のセンサとを有し、
前記アクチュエータは、前記第１のセンサが出力する信号および前記第２のセンサが出力する信号に応じて、前記ドラムヘッドを加振することを特徴とする請求項１または２に記載の発音制御装置。
【請求項４】
前記発音制御装置における前記パッドと前記リム部の頂上との間の距離は、前記ドラムヘッドとリムの頂上との間の距離と略一致することを特徴とする請求項３に記載の発音制御装置。
【発明の詳細な説明】
【技術分野】
【０００１】
本発明は、ドラムに設置する発音制御装置に関する。
【背景技術】
【０００２】
アコースティックドラムは、演奏者がアコースティックドラムのヘッドに打撃を加えることで生じた振動を音として放音する。一方、電子ドラムは、演奏者が電子ドラムのパッドに打撃を加えることで生じた振動を電気信号に変換し、その電気信号に信号処理を施してスピーカやヘッドフォンから音として放音する。アコースティックドラムや電子ドラムに対する演奏操作としては、ヘッド或いはパッドに打撃を加えることの他にヘッド或いはパッドをブラシで擦る操作が挙げられる。これらは、いずれもヘッド或いはパッドに振動を発生させる操作であるため、以下においては、これらの操作を「加振」と総称する。
【０００３】
さて、アコースティックドラムの演奏音の音量はヘッドを加振する際の力加減で調整可能である。しかし、力を加減しつつ演奏したのでは本来の演奏からかけ離れたものとなり、練習にならない。そこで、アコースティックドラムの演奏者は、演奏音が騒音となって周囲に迷惑をかけることを回避するため、騒音対策が施された場所で演奏練習を行うことが多い。このようにアコースティックドラムには、演奏を行う場所に制約があるといった問題があった。
【０００４】
これに対して、電子ドラムにはこのような制約はない。なぜなら、電子ドラムのパッドを加振しても、パッドの振動により大きな音が発生することはなく、スピーカから放音する演奏音の音量を充分に小さく調整しておくこと、或いはヘッドフォンを用いることで騒音の発生を簡便に回避できるからである。
【０００５】
そこで、アコースティックドラムのヘッドを電子ドラムのパッドに置き換えること（例えば、非特許文献１）、或いはアコースティックドラムのヘッドに電子ドラムのパッドを載せること（例えば、非特許文献２）で、簡便に騒音対策を行いつつアコースティックドラムの演奏を行えるようにする技術が種々提案されている。
【先行技術文献】
【非特許文献】
【０００６】
【非特許文献１】Pearl社、Pearl ePro Live、平成２７年６月２６日検索、[online]、＜URL：http://www.e-prolive.com/＞
【非特許文献２】Rock oN Show Report NAMM2015 Day2:NFUZD audio、平成２７年６月２６日検索、[online]、＜http://www.miroc.co.jp/show-report/namm2015/archives/1563＞
【発明の概要】
【発明が解決しようとする課題】
【０００７】
非特許文献１の技術では、アコースティックドラムのヘッドを電子ドラムのパッドに置き換える作業が煩雑であるとともに、経済的負担が大きいという問題がある。これに対し、非特許文献２の技術は、アコースティックドラムのヘッドに電子ドラムのパッドを載せるだけで演奏を行うことができるので、演奏に先立って行う作業が簡単である。しかし、非特許文献２の技術には、電子ドラムのパッドをアコースティックドラムに強固に固定できないという問題がある。そのため、非特許文献２の技術では、電子ドラムのパッドの最外周近傍を加振すると、電子ドラムのパッドがアコースティックドラムに対して浮き上がる。さらに、加振する力加減によっては電子ドラムのパッドが裏返る可能性がある。そこで、非特許文献２の技術を用いたアコースティックドラムの演奏を行う場合は、電子ドラムのパッドがアコースティックドラムに対して浮き上がらないように力加減を調整して演奏せざるを得ず、演奏方法に制約が生じる。
【０００８】
この発明は以上説明した事情に鑑みて為されたものであり、ドラムの演奏を行う際に、簡便に騒音対策を行いつつ、演奏方法に制約が生じることがないようにする技術を提供することを目的とする。
【課題を解決するための手段】
【０００９】
この発明は、被加振部を有し、前記被加振部に発生する振動に応じて発音の制御を行う発音制御装置であって、当該発音制御装置をドラムヘッドと共にシェルに固定する固定部と、前記被加振部に発生する振動に応じて前記ドラムヘッドを加振するアクチュエータと、を有することを特徴とする発音制御装置を提供する。
【００１０】
この発明によれば、発音制御装置が固定部によりシェルに固定されるので、力加減を調整して被加振部を加振する必要がなく、演奏方法に制約が生じるのを回避することができる。さらに、この発明によれば、発音制御装置とともにその一部であるアクチュエータがシェルに固定されるので、被加振部の加振が行われる状況においても、アクチュエータの加振力を適切にドラムヘッドに伝達することができる。従って、力加減を調整して被加振部を加振する必要がなく、演奏方法に制約が生じるのを回避することができる。
【００１１】
より好ましい態様において、固定部は、ドラムヘッド外縁を案内する円環状のガイド部と、発音制御装置の外周に設けられ、シェルに設けられたラグに対応する位置に孔が形成されているリング部と、を有する。
【００１２】
この態様によれば、発音制御装置は、ガイド部とリング部により、シェルに固定される。
【００１３】
より好ましい態様において、各々が被加振部であるパッドおよびパッドの外周に設けられたリム部と、パッドに生じた振動を検出し、当該検出した振動に応じた信号を出力する第１のセンサと、リム部に生じた振動を検出し、当該検出した振動に応じた信号を出力する第２のセンサとを有し、アクチュエータは、第１のセンサが出力する信号および第２のセンサが出力する信号に応じて、ドラムヘッドを加振する。
【００１４】
この態様によれば、パッドを加振することによりパッドに生じる振動およびリム部を加振することによりリム部に生じる振動に応じてドラムの打面の加振が行われる。したがって、この態様によれば、簡便に騒音対策を行いつつ、通常のドラムの打面を加振することにより得られる演奏音およびリムショットにより得られる演奏音と同様な音色を持った演奏音を発音制御装置の設置されたドラムヘッドから得ることができる。
【００１５】
より好ましい態様において、発音制御装置におけるパッドとリム部の頂上との間の距離は、ドラムヘッドとリムの頂上との間の距離と略一致する。
【００１６】
この態様によれば、上記各態様の効果に加え、演奏者は従来のドラムを演奏しているのと同様な感覚で発音制御装置を設置したドラムを演奏することができるという効果が得られる。
【図面の簡単な説明】
【００１７】
【図１】この発明の第１実施形態である発音制御装置１の構成を示す図である。
【図２】同発音制御装置１のアコースティックドラム２への設置態様を示す図である。
【図３】この発明の第２実施形態の発音制御装置３の構成および同発音制御装置３のアコースティックドラム２への設置態様を示す断面図である。
【発明を実施するための形態】
【００１８】
以下、図面を参照しつつ本発明の実施の形態について説明する。
【００１９】
＜第１実施形態＞
図１（ａ）〜（ｃ）は、この発明の第１実施形態である発音制御装置１の構成を示す図である。ここで、図１（ａ）は、同発音制御装置１を演奏者側から見た平面図、図１（ｂ）は図１（ａ）のＡ−Ａ’線断面図、図１（ｃ）は、発音制御装置１を図１（ａ）の反対側から見た背面図である。この発音制御装置１は、アコースティックドラム２の上に設置され、演奏者の演奏操作に応じて、そのアコースティックドラム２の発音制御を行う装置である。
【００２０】
図１（ａ）〜（ｃ）に示すように、発音制御装置１は、パッド１０と、筐体１１と、センサ１３と、インシュレータ１４と、アクチュエータ１５と、リング部１６と、信号処理部１７と、ゲイン調整部１８とを有する。パッド１０は、加振される円板状の打面１０１を上面に有する部材であり、例えば電子ドラムのパッドである。筐体１１は、上面にパッド１０が固定された円板状のパッド土台１１３と、その外周縁において上方に突き出したリム部１１１と、下方に突き出したガイド部１１０とを一体化してなるものである。ここで、リム部１１１および上述のパッド１０は演奏操作により加振される被加振部である。リング部１６は、図１（ａ）および（ｂ）に示すように筐体１１の外周に設けられている。上述したガイド部１１０とこのリング部１６は、発音制御装置１とアコースティックドラム２を固定するための固定部として機能する。パッド土台１１３の下面には、センサ１３と、インシュレータ１４と、アクチュエータ１５と、リング部１６と、信号処理部１７と、ゲイン調整部１８が配置されている。センサ１３は、被加振部であるパッド１０およびリム部１１１の各々に生じた振動を合成した振動を検出するセンサである。センサ１３の出力信号は信号処理部１７およびゲイン調整部１８を介してアクチュエータ１５に供給される。このアクチュエータ１５はインシュレータ１４を介してパッド土台１１３の下面に固定されており、ゲイン調整部１８からの信号に応じてアコースティックドラム２の打面を加振する。以上が発音制御装置１の構成の概略である。なお、発音制御装置１の構成の詳細については後述する。
【００２１】
次に図２（ａ）〜（ｃ）を参照し、発音制御装置１のアコースティックドラム２への設置態様を説明する。図２（ａ）は、発音制御装置１の設置対象であるアコースティックドラム２の構成を示す断面図である。このアコースティックドラム２は、例えばタムである。
【００２２】
図２（ａ）に示すように、アコースティックドラム２は、ドラムヘッド２０、フープ２１、フレッシュフープ２２およびシェル２４を含む。シェル２４は、上下両端が開放した円筒形状をなしている。ドラムヘッド２０は、このシェル２４の開口端を覆うように設けられている。演奏者は、このドラムヘッド２０を例えばスティックで加振することで音を放音する。ドラムヘッド２０は、ドラムヘッド２０の外縁をなすフレッシュフープ２２によりシェル２４に固定され、フープ２１はフレッシュフープ２２を上から押さえつけている。フープ２１において、フレッシュフープ２２とは反対側がリムである。図２（ａ）では図示を省略したが、シェル２４の側面にはラグとチューニングピンが設けられている。ドラムヘッド２０のテンションは、このラグとチューニングピンによって調整される。このドラムヘッド２０のテンションを調整することで、アコースティックドラム２が放音する音の音色に変化を付けることができる。
【００２３】
アコースティックドラム２に発音制御装置１を設置する場合、まず、図２（ａ）に示すアコースティックドラム２から図２（ｂ）に示すようにフープ２１を取り外す。次に図２（ｃ）に示すように、フープ２１の取り外されたアコースティックドラム２のドラムヘッド２０の上方に筐体１１のパッド土台１１３を対向させ、発音制御装置１をアコースティックドラム２に固定する。
【００２４】
ここで、図１（ａ）〜（ｃ）および図２（ａ）〜（ｃ）を参照し、本実施形態による発音制御装置１のうちアコースティックドラム２への設置のために機能する各部分の詳細について説明する。
【００２５】
上述したように、筐体１１は、円板状のパッド土台１１３の外周縁から上方向に突き出したリム部１１１と下方向に突き出したガイド部１１０とを有している。このリム部１１１およびガイド部１１０は、アコースティックドラム２のフープ２１に対応している。ここで、ガイド部１１０は、パッド土台１１３の外周と略同径であり、パッド土台１１３の直下に位置する第１の円筒と、その下に位置する第２の円筒とを各々の中心軸を一致させて連結した円環状をしている。ここで、第１の円筒は、パッド土台１１３の外周と略同径であり、その下の第２の円筒は、第１の円筒よりも大きな直径を有し、図２（ｃ）に示すフレッシュフープ２２を丁度収容し得る程度の開口面積を有している。
【００２６】
本実施形態では、図２（ｃ）に示すように、発音制御装置１のガイド部１１０（より具体的には上記第１の円筒の下端）をアコースティックドラム２のフレッシュフープ２２の上に載せることによりフレッシュフープ２２を案内し、発音制御装置１のパッド土台１１３をアコースティックドラム２のドラムヘッド２０の上方に配置して固定する。この状態において、発音制御装置１のパッド土台１１３は、所定寸法の空間を挟んでアコースティックドラム２のドラムヘッド２０と対向する。
【００２７】
好ましい態様において、ガイド部１１０のフレッシュフープ２２と接する面には、緩衝材が敷き詰められており、発音制御装置１をアコースティックドラム２に設置する際には、この緩衝材がフレッシュフープ２２と接する。この態様によれば、演奏者がパッド１０を加振することで生じるパッド土台１１３の振動がアコースティックドラム２に伝達されてアコースティックドラム２が鳴ることを防止することができる。
【００２８】
また、筐体１１の外周縁には、図１（ａ）および（ｃ）に示すように複数のリング部１６が設けられている。このリング部１６は、アコースティックドラム２のシェル２４に設けられるラグとチューニングピン（図２では図示略）に対応している。演奏者がこのリング部１６に設けられた孔にアコースティックドラム２のチューニングピンを挿入して回し、ラグにチューニグピンを挿入して回すと、ガイド部１１０が下方に移動して図２（ｃ）のフレッシュフープ２２を押し下げ、アコースティックドラム２のドラムヘッド２０のテンションを高める。従って、このリング部１６の孔にアコースティックドラム２のチューニングピンを挿入して適度に回すことにより、発音制御装置１をアコースティックドラム２に強固に固定し、かつ、ドラムヘッド２０に適度なテンションを与えることができる。
【００２９】
以上が本実施形態による発音制御装置１のうちアコースティックドラム２への設置のために機能する各部分の詳細である。次に本実施形態による発音制御装置１の他の部分の詳細について説明する。
【００３０】
リム部１１１は、アコースティックドラム２のリムを模した円筒形状を有している。具体的にはパッド１０の表面（図１（ｂ）および図２（ｃ）では上面）からリム部１１１の頂上までの高さｃ１は、アコースティックドラム２のドラムヘッド２０からリムの頂上までの高さｃ２と略一致している。また、リム部１１１の直径ａ１と被加振部である打面１０１の直径ｂ１との比は、アコースティックドラム２のリムの直径ａ２とドラムヘッド２０の打面の直径ｂ２との比に略一致している。
【００３１】
リム部１１１はアコースティックドラム２のリムを模しているため、発音制御装置１をアコースティックドラム２へ設置しても、演奏者は、発音制御装置１を設置していない通常のアコースティックドラム２と同様に演奏することができる。特に、高さｃ１が高さｃ２と略一致しているため、演奏者は通常のアコースティックドラム２と同様に演奏することができる。
【００３２】
好ましい態様において、リム部１１１は、ゴムシート等の柔軟素材により構成されている。この態様によれば、演奏者がリム部１１１を加振するリムショットを行った場合に、リム部１１１が振動しにくいため、周囲への騒音が発生するのを防止することができる。
【００３３】
センサ１３は、パッド土台１１３の下面の中心付近に位置している。このセンサ１３には、パッド１０の打面１０１に発生した振動とリム部１１１に発生した振動が伝達される。従って、センサ１３は、打面１０１に発生した振動とリム部１１１に発生した振動を合成した振動を検出し、その振動波形を示す信号を信号処理部１７に出力する。
【００３４】
信号処理部１７は、センサ１３の出力信号に様々な信号処理を施し、ゲイン調整部１８に出力する。ある好ましい態様では、信号処理部１７は、センサ１３の出力信号をその信号波形を維持したままゲイン調整部１８に出力する。他の好ましい態様において、信号処理部１７は、センサ１３の出力信号にフィルタ処理を施してゲイン調整部１８に出力する。さらに他の好ましい態様において、信号処理部１７は、センサ１３の出力信号の振幅、周波数等に基づいて、予め記憶した複数種類の波形の信号の中から１つの信号を選択し、ゲイン調整部１８に出力する。
【００３５】
ゲイン調整部１８は、信号処理部１７の出力信号を増幅し、駆動信号としてアクチュエータ１５に供給する。演奏者は、ゲイン調整部１８におけるゲインを適宜調整することができる。このゲイン調整部１８におけるゲインの調整により、演奏者の力加減によるアコースティックドラム２の音量の調整よりも細やかな音量の調整を行うことができる。
【００３６】
好ましい態様において、信号処理部１７とゲイン調整部１８は、発音制御装置１の制御中枢となるＣＰＵがプログラムを実行することにより実現される機能である。他の好ましい態様において、信号処理部１７とゲイン調整部１８は、アナログ回路等により構成される。
【００３７】
アクチュエータ１５は、インシュレータ１４を間に挟んでパッド土台１１３の下面の中心付近に固定されている。アクチュエータ１５をパッド土台１１３の下面の中心付近に設けるのは、通常、アコースティックドラム２の演奏者は、ドラムヘッド２０の中心付近を加振して演奏するのが一般的であるからである。アクチュエータ１５は、ゲイン調整部１８から供給される駆動信号に応じて、アコースティックドラム２のドラムヘッド２０を加振する。
【００３８】
本実施形態では、発音制御装置１がアコースティックドラム２に設置された状態において、アクチュエータ１５の下面である加振部がアコースティックドラム２のドラムヘッド２０と接し、或いはドラムヘッド２０に数ｍｍ程度押し込まれるように、ガイド部１１０の高さが定められている。このため、アクチュエータ１５により効率良くドラムヘッド２０を加振することができる。この設置状態においては、アクチュエータ１５は下方に変位しても上方に変位してもドラムヘッド２０と接し離れないため、駆動信号に応じたアクチュエータ１５の動きを忠実にドラムヘッド２０に伝え、発生音を生じることができる。
【００３９】
アクチュエータ１５とパッド土台１１３との間に挟まれたインシュレータ１４は、防振部材である。このインシュレータ１４は、アクチュエータ１５の振動がパッド土台１１３を介してセンサ１３に伝わってハウリングが発生することを回避するためのものである。
以上が本実施形態による発音制御装置１の詳細である。
【００４０】
以上の構成において、演奏者は例えばスティックにより発音制御装置１のパッド１０の打面１０１やリム部１１１を加振して演奏を行う。その際、パッド１０が固定されたパッド土台１１３やリム部１１１を一体化した筐体１１は、リング部１６によりアコースティックドラム２に強固に固定されている。従って、パッド１０やリム部１１１を激しく加振する演奏が行われる場合でも、被加振部であるパッド１０やリム部１１１のアコースティックドラム２に対する位置ずれを防止することができる。従って、演奏方法に制約が生じることがない。
【００４１】
また、パッド１０の打面１０１やリム部１１１を加振する演奏が行われる場合、センサ１３は、この加振により生じた振動を検出し、その検出した振動に応じた信号を出力する。このセンサ１３の出力信号は、信号処理部１７およびゲイン調整部１８の処理を経て、駆動信号としてアクチュエータ１５に供給される。そして、アクチュエータ１５は、この駆動信号に応じてアコースティックドラム２のドラムヘッド２０を加振する。
【００４２】
ここで、仮に筐体１１がアコースティックドラム２に強固に固定されておらず、パッド土台１１３の下面のアクチュエータ１５が単にドラムヘッド２０の上に載っているだけだと、アクチュエータ１５がドラムヘッド２０に加振力を与える場合に、その反力によりアクチュエータ１５およびパッド土台１１３が浮き上がる。このため、アクチュエータ１５からドラムヘッド２０に適切に加振力を伝達することができない。しかしながら、本実施形態では、アクチュエータ１５が筐体１１のパッド土台１１３に固定されており、この筐体１１がリング部１６によりアコースティックドラム２に強固に固定されている。従って、アクチュエータ１５の加振力を適切にアコースティックドラム２のドラムヘッド２０に伝達することができる。
【００４３】
また、本実施形態によれば、発音制御装置１がアコースティックドラム２に設置された状態において、アコースティックドラム２のドラムヘッド２０は、発音制御装置１のパッド土台１１３により覆われ、アクチュエータ１５以外によりドラムヘッド２０が加振されることはない。従って、本実施形態によれば、演奏によって騒音が発生するのを防止することができる。
【００４４】
また、本実施形態において、演奏者は、ゲイン調整部１８におけるゲインを適宜調整することにより、アクチュエータ１５からアコースティックドラム２のドラムヘッド２０に伝達される加振力を調整し、アコースティックドラム２から放音される音の音量を周囲への騒音とならないように調整することができる。
【００４５】
また、本実施形態によれば、アコースティックドラム２からフープ２１を取り外し、そのアコースティックドラム２のフレッシュフープ２２の上に、発音制御装置１のガイド部１１０を載せて、リング部１６により発音制御装置１をアコースティックドラム２に固定する、という簡単な作業により発音制御装置１をアコースティックドラム２に設置可能である。従って、本実施形態によれば、簡単な作業により、演奏時の騒音対策を講じることができる。
【００４６】
また、本実施形態によれば、パッド１０の打面１０１に生じた振動と、リム部１１１に生じた振動とを合成した振動に応じてアクチュエータ１５がドラムヘッド２０を加振するので、ドラムヘッド２０やリムへの加振が行われるアコースティックドラム２から得られる音と同様な音を得ることができる。
【００４７】
＜第２実施形態＞
図３は、この発明の第２実施形態の発音制御装置３の構成および同発音制御装置３のアコースティックドラム２への設置態様を示す断面図である。図３では、図１におけるものと同一の構成要素には同一の符号が付されている。発音制御装置１と発音制御装置３の違いは、リムセンサ１２と信号処理部１７である。ここで、リムセンサ１２は、リム部１１１の内側の壁面の一部分にのみ設けられている。以下、リムセンサ１２と信号処理部１７を中心に説明する。
【００４８】
本実施形態において、リムセンサ１２はリム部１１１に設けられ、主としてリム部１１１に加えられた振動を検出し、検出した振動に応じた出力信号を信号処理部１７に出力する。センサ１３は、主としてパッド１０の打面１０１に加えられた振動を検出し、検出した振動に応じた出力信号を信号処理部１７に出力する。
【００４９】
信号処理部１７は、センサ１３の出力信号とリムセンサ１２の出力信号からアクチュエータ１５を駆動するための信号を生成する信号処理を実行する。以下、この信号処理部１７が行う信号処理の例を説明する。
【００５０】
信号処理部１７は、センサ１３の出力信号およびリムセンサ１２の出力信号の少なくとも一方の振幅が立ち上がると、センサ１３の出力信号およびリムセンサ１２の出力信号に基づいて演奏者によって行われた演奏形態の判別を行う。
【００５１】
本実施形態では、演奏形態として次のような各形態を想定している。
演奏形態ａ：スティックによりパッド１０に打撃を加える
演奏形態ｂ：ブラシによりパッド１０を擦る
演奏形態ｃ：スティックによりリム部１１１を加振する
演奏形態ｄ：オープンリムショット
演奏形態ｅ：クローズリムショット
ここで、オープンリムショットとは、スティックのチップとシャフトとによりパッド１０とリム部１１１を同時に打撃する演奏形態である。また、クローズリムショットとは、スティックの一端をパッド１０に当て、そこを支点にしてスティックを旋回させ、スティックの途中の部分によりリム部１１１を打撃する演奏形態である。
【００５２】
信号処理部１７は、センサ１３の出力信号およびリムセンサ１２の出力信号の少なくとも一方の振幅が立ち上がるとき、その時点におけるセンサ１３の出力信号およびリムセンサ１２の出力信号の振幅の立ち上がりの時間レート、周波数等に基づいて、演奏者によって行われた演奏形態が上記演奏形態ａ〜ｅのいずれであるかを判別する。
【００５３】
演奏形態の判別が終了すると、信号処理部１７は、アクチュエータ１５を駆動するための信号として、判別した演奏形態に対応した信号を生成する。ある好ましい態様において、発音制御装置３の不揮発性メモリ（図示略）には、上記演奏形態ａ〜ｅに対応付けて、アクチュエータ１５を駆動するための信号波形のサンプル列を記憶している。信号処理部１７は、これらのうち判別した演奏形態に対応付けられたサンプル列を読み出してＤ／Ａ変換し、ゲイン調整部１８に出力する。他の好ましい態様において、同不揮発性メモリには、上記演奏形態ａ〜ｅに対応付けて、センサ１３の出力信号およびリムセンサ１２の出力信号の各々に施すフィルタ処理のフィルタ係数の組、フィルタ処理を経たセンサ１３の出力信号およびリムセンサ１２の出力信号のミキシング比率が記憶されている。信号処理部１７は、これらのうち判別した演奏形態に対応付けられたフィルタ係数の組、ミキシング比率を読み出し、読み出したフィルタ係数の組を用いた各フィルタ処理をセンサ１３の出力信号およびリムセンサ１２の出力信号に各々施し、フィルタ処理後の各信号を読み出したミキシング比率でミキシングしてゲイン調整部１８に出力する。
【００５４】
本実施形態によれば、上記第１実施形態と同様に、簡便に騒音対策を行いつつ、演奏方法に制約が生じることを回避することができる。さらに、本実施形態によれば、パッド１０に生じた振動を示すセンサ１３の出力信号と、リム部１１１に生じた振動を示すリムセンサ１２の出力信号が別個に得られる。そして、信号処理部１７では、センサ１３の出力信号とリムセンサ１２の出力信号とからアクチュエータ１５を駆動するための信号を生成する。従って、多彩な演奏形態に対応した多彩な音色の演奏音を得ることができ、演奏の表現力を高めることができる。
【００５５】
＜他の実施形態＞
以上、この発明の第１および第２実施形態について説明したが、この発明には他にも実施形態があり得る。例えば次の通りである。
【００５６】
（１）上記各実施形態において、パッド土台１１３に複数のセンサ１３を設け、信号処理部１７がそれらの複数のセンサ１３の出力信号を用いてアクチュエータ１５を駆動するための信号を生成するようにしてもよい。
【００５７】
（２）上記第２実施形態では、図３に示すように、リムセンサ１２がリム部１１１の内側の壁面に設けられているが、リムセンサ１２をリム部１１１の内部に埋め込んでもよい。要は、リム部１１１に加えられた振動を検出できるのであれば、リムセンサ１２のリム部１１１への設置対象はどのような態様であってもよい。
【００５８】
（３）上記各実施形態において、発音制御装置１（３）は、ドラムヘッド２０を加振するアクチュエータ１５を有していたが、発音制御装置１（３）がアクチュエータ１５を有さない態様であってもよい。例えば、発音制御装置１（３）は、パッド１０やリム部１１１の振動を検出し、この検出した振動に応じて電子音源を駆動するものであってもよい。
【００５９】
（４）上記各実施形態では、パッド１０は電子ドラムのパッドであったが、これに限られない。例えば、パッド１０がゴム素材の円盤であってもよい。
【００６０】
（５）上記各実施形態では、発音制御装置１や発音制御装置３をアコースティックドラム２に設置していたが、他の種類のドラムに設置してもよい。電子ドラムに発音制御装置１や発音制御装置３を設置してもよい。その場合、センサ１３やリムセンサ１２、信号処理部１７の信号処理の内容を設置するドラムに応じて変更すればよい。
【００６１】
（６）上記第２実施形態では、信号処理部１７が演奏形態の判別をしていたが、センサ１３の出力信号とリムセンサ１２の出力信号を適当なバランスで足しあわせたものをそのままゲイン調整部１８に出力してもよい。
【符号の説明】
【００６２】
１，３……発音制御装置、１０……パッド、１０１……打面、１１……筐体、１１３……パッド土台、１１０……ガイド部、１１１……リム部、１２……リムセンサ、１３……センサ、１４……インシュレータ、１５……アクチュエータ、１６……リング部、１７……信号処理部、１８……ゲイン調整部、２……アコースティックドラム、２０……ドラムヘッド、２１……フープ、２２……フレッシュフープ、２４……シェル。
【図１】
2017068214.tif 000003
【図２】
2017068214.tif 000004
【図３】
2017068214.tif 000005